(57)【要約】      （修正有）【課題】異常の発生の軽減が可能でありながらも、帯電微粒子水を効果的に拡散し得る便器装置を提供する。【解決手段】便器外面６ａにおいて開口するように設けられた放出口８と送風機２０の吹出部２２とを連通させる送風路１３に向けて帯電微粒子水を放出する静電霧化ユニット２３を設けた便器装置１であって、放出口は、送風機の吹出部の高さ位置以上の高さに位置するように設けられ、送風路の底側を区画する底面１４ｂには、排水孔１６が設けられている。【選択図】図２
2018193673.tif 000002
【特許請求の範囲】
【請求項１】
便器外面において開口するように設けられた放出口と送風機の吹出部とを連通させる送風路に向けて帯電微粒子水を放出する静電霧化ユニットを設けた便器装置であって、
前記放出口は、前記送風機の吹出部の高さ位置以上の高さに位置するように設けられ、前記送風路の底側を区画する底面には、排水孔が設けられていることを特徴とする便器装置。
【請求項２】
請求項１において、
前記送風路には、前記放出口に向けて上るように傾斜する上向き送風路が設けられていることを特徴とする便器装置。
【請求項３】
請求項２において、
前記送風路には、前記送風機の吹出部から水平方向に延び、前記上向き送風路の上流端に連なる水平路が設けられており、
前記排水孔は、前記水平路の下流側端部に設けられていることを特徴とする便器装置。
【請求項４】
請求項１乃至３のいずれか１項において、
前記送風路には、当該送風路の天側を区画する天面において下方側に向けて開口するように凹部が設けられており、
前記静電霧化ユニットは、帯電微粒子水を放出する電極部が前記凹部の底側に位置するように設けられていることを特徴とする便器装置。
【発明の詳細な説明】
【技術分野】
【０００１】
本発明は、便器装置に関する。
【背景技術】
【０００２】
従来より、帯電微粒子水を生成する静電霧化ユニットを組み込んだ便器が知られている。
例えば、下記特許文献１には、便器上に載置される本体内に、空気を送給する送風機と帯電微粒子水を生成する静電霧化ユニットとを設けた衛生洗浄装置が開示されている。この衛生洗浄装置は、送風機を収容する送風機スペースの下方に、終端が前方に向けて開放する吐出口とされた吐出ダクトスペースを設けた構成とされている。このような構成とすれば、清掃等の際に吐出口から水が進入した場合にも、その進入した水が送風機に到達し難く送風機の損傷や漏電等の異常の発生を軽減できるものではあった。
【先行技術文献】
【特許文献】
【０００３】
【特許文献１】特開２０１３−４４１５１号公報
【発明の概要】
【発明が解決しようとする課題】
【０００４】
しかしながら、上記特許文献１に記載されたものでは、送風機スペースの下方側に吐出口が設けられているので、帯電微粒子水が下向きに吐出され易くなる傾向があり、帯電微粒子水の拡散性の観点からは更なる改善が望まれる。
【０００５】
本発明は、上記実情に鑑みてなされたものであり、異常の発生の軽減が可能でありながらも、帯電微粒子水を効果的に拡散し得る便器装置を提供することを目的としている。
【課題を解決するための手段】
【０００６】
上記目的を達成するために、本発明に係る便器装置は、便器外面において開口するように設けられた放出口と送風機の吹出部とを連通させる送風路に向けて帯電微粒子水を放出する静電霧化ユニットを設けた便器装置であって、前記放出口は、前記送風機の吹出部の高さ位置以上の高さに位置するように設けられ、前記送風路の底側を区画する底面には、排水孔が設けられていることを特徴とする。
【発明の効果】
【０００７】
本発明に係る便器装置は、上述のような構成としたことで、異常の発生の軽減が可能でありながらも、帯電微粒子水を効果的に拡散することができる。
【図面の簡単な説明】
【０００８】
【図１】本発明の一実施形態に係る便器装置の一例を模式的に示す概略斜視図である。
【図２】図３におけるＹ−Ｙ線矢視に対応させた一部省略概略縦断面図である。
【図３】図２におけるＸ−Ｘ線矢視に対応させた一部省略概略横断面図である。
【発明を実施するための形態】
【０００９】
以下に本発明の実施の形態について、図面に基づいて説明する。
図１〜図３は、本実施形態に係る便器装置を模式的に示す図である。
なお、以下の実施形態では、設置された便器装置に対して立位使用状態で対面した状態を基準として、手前側を前方、その逆側を後方とし、また、その状態を基準として上下方向等を説明する。
【００１０】
本実施形態に係る便器装置１は、図１に示すように、腰掛式（いわゆる洋式）の便器装置１とされている。この便器装置１は、トイレ空間内の床や壁等の設置部に設置される。また、この便器装置１には、上方に向けて開口するすり鉢状とされたボウル部（便鉢）２や、ボウル部２の周囲を囲むスカート部９等が設けられている。また、便器装置１には、便器本体に対して水平方向に沿う軸回りに起倒自在（回転自在）とされた便座３及び便蓋４や、これら便座３及び便蓋４を回転自在に支持し、種々の機構部を内蔵する機構本体部５が設けられている。また、便器装置１には、水道管等の給水管に接続される給水機構や、床側または壁側の排水管に接続される排水機構等が設けられている。図例では、便器装置１を、水洗タンク（ロータンク）を備えていない、いわゆるタンクレスタイプとした例を示しているが、水洗タンクを備えた構成としてもよい。
【００１１】
また、この便器装置１の機構本体部５や適所に、便座３や便蓋４を開閉する開閉装置や、ボウル部２内を脱臭する脱臭装置、便座３を温める加熱装置、局部を洗浄する局部洗浄装置等の各種機能装置や機構部材を設けた構成としてもよい。また、便器装置１に、人体検知センサーや着座センサー等の各種センサーを設けた構成としてもよく、上記した各種機能装置を操作する操作部としてのリモコン装置や、リモコン装置の各種信号の送受信を可能とする送受信装置等を設けた構成としてもよい。
【００１２】
また、図１に示すように、便器装置１は、便器外面としての後部外側面６ａにおいて開口するように放出口８を設けた構成とされている。また、便器装置１には、図２及び図３に示すように、放出口８に向けて送風する送風機２０が設けられている。また、便器装置１には、放出口８と送風機２０の吹出部２２とを連通させる送風路としての吹出側送風路１３に向けて帯電微粒子水を放出する静電霧化ユニット２３が設けられている。つまり、便器装置１は、静電霧化ユニット２３において生成された帯電微粒子水を放出口８から便器外に放出する構成とされている。
放出口８は、送風機２０の吹出部２２の高さ位置以上の高さに位置するように設けられている。この放出口８が開口する後部外側面６ａは、当該便器装置１のボウル部２の後端側の上段部に設けられた機構本体部５の外郭側面部の下側に連なるように設けられた中段側面部６の表面を構成している。放出口８は、この中段側面部６を貫通するように設けられている。
【００１３】
つまり、放出口８は、当該便器装置１の奥行方向（便器奥行方向）で奥側となる後部において当該便器装置１の幅方向（便器幅方向）外側に向けて開口するように設けられている。また、この放出口８は、便器装置１の上下方向中央部よりも上端側となる上側部位に位置するように設けられている。
また、本実施形態では、この放出口８を、送風機２０の吹出部２２の高さ位置よりも上方側に位置するように設けている。この放出口８（の孔心）と送風機２０の吹出部２２（の孔心）との高低差は、吹出側送風路１３の形状に応じて、また、帯電微粒子水の拡散性等の観点から適宜の寸法としてもよく、０ｍｍ〜２００ｍｍ程度としてもよく、好ましくは、１０ｍｍ〜１００ｍｍ程度としてもよい。
なお、放出口８の全体を、送風機２０の吹出部２２の高さ位置よりも上方側に位置するように設けた構成としているが、放出口８の上下方向半部等の一部が送風機２０の吹出部２２の高さ位置よりも上方側に位置する構成としてもよい。また、この放出口８に、異物の侵入を抑制したり、放出方向を規制したりするガラリ等を設けた構成としてもよい。
【００１４】
また、便器装置１は、送風機２０及び静電霧化ユニット２３が組み込まれ、吹出側送風路１３を区画する機器ケース１０を備えている。
この機器ケース１０は、便器装置１の後方側部位の上側部位に内蔵されており、中段側面部６によって覆われている。なお、図例では、中段側面部６によって放出口８を区画したような例を示しているが、機器ケース１０の吹出側送風路１３の下流側端部が放出口８を構成するものでもよい。つまり、機器ケース１０の吹出側送風路１３の下流側端部を便器外面となる後部外側面６ａにおいて開口させて放出口８としてもよい。
【００１５】
また、本実施形態では、便器装置１は、送風機２０の吸込部２１に連通され、便器外面としての後部外側面６ａにおいて開口する吸込口７を設けた構成とされている。また、この吸込口７と送風機２０の吸込部２１とは、吸込側送風路１９によって連通されている。つまり、便器装置１は、後部外側面６ａにおいて開口する吸込口７を介して便器装置１外の空気を吸い込み、吸込側送風路１９及び吹出側送風路１３を介して放出口８から放出する構成とされている。また、この吸込口７と放出口８とを連通させる送風路１９，１３に送風機２０を設けた構成としている。
また、この吸込口７を、放出口８よりも下方側に位置するように設けた構成としている。図例では、吸込口７を放出口８の略直下に位置するように設けた例を示しているが、放出口８よりも後方側や前方側等に位置するように設けた構成としてもよい。また、この吸込口７は、便器幅方向外側に向けて開口されたものでもよく、斜め下方側等に向けて開口されたものでもよい。
【００１６】
また、便器装置１は、送風機２０の吸込部２１の上流側に配されるフィルター部材１１を備えている。このフィルター部材１１は、便器本体（機器ケース１０）に対して着脱自在とされている。また、このフィルター部材１１は、便器本体（機器ケース１０）に対して便器装置１の概ね幅方向に沿って抜差自在とされている。
このフィルター部材１１は、便器本体に取り付けられた状態で後部外側面６ａにおいて露出するように配される把持部１１ａと、吸込口７から吸い込まれた空気に含まれる異物を捕捉するフィルター１１ｂと、を備えている。図例では、フィルター部材１１を、便器幅方向に長尺状とされ、上下方向に厚さ方向を沿わせて配される概ね板状とした例を示している。また、このフィルター部材１１は、便器本体に取り付けられた状態で機器ケース１０の下方側を向く下面に沿うように配される構成とされている。
【００１７】
また、このフィルター部材１１の把持部１１ａは、当該フィルター部材１１が便器本体に取り付けられた状態で後部外側面６ａから便器幅方向外側に向けて突出するように配される構成とされている。
フィルター１１ｂとしては、メッシュフィルターや、これに代えて、または加えて、塵埃等の捕捉性を有した不織布等からなるシート状やプリーツ状の集塵フィルター等を採用するようにしてもよい。
なお、吸込口７及びこの吸込口７から送風機２０の吸込部２１までの吸込側送風路１９は、便器本体（機器ケース１０）に設けられたものでもよく、フィルター部材１１に設けられたものでもよい。
【００１８】
送風機２０は、吸込部２１をフィルター１１ｂ（吸込側送風路１９）側に向け、吹出部２２を放出口８に連通される吹出側送風路１３側に向けて配設されている。本実施形態では、送風機２０は、吸込部２１を下方側に向け、吹出部２２を便器幅方向外側に向けて配設されている。つまり、送風機２０は、下方側から吸い込んだ空気を便器幅方向外側に向けて吹き出す構成とされている。図例では、送風機２０を、シロッコファン（多翼ファン）とした例を示しているが、軸流ファンやクロスフローファン等としてもよい。機器ケース１０には、図２に示すように、吸込部２１に応じた位置となるように開口１２が設けられている。上記したフィルター１１ｂは、この開口１２の略直下に位置するように設けられている。
静電霧化ユニット２３は、水粒子放出部としてのピン状の霧化電極（放電電極）２４と、これに対向する対向電極（対極板）２５と、の間に高電圧を印加することで霧化電極２４の水分を霧化し、ナノメートルサイズの帯電微粒子水を放出する構成とされている。帯電微粒子水は、ナノメートルサイズ（例えば、５ｎｍ〜２０ｎｍ程度）の粒子径のものを含む帯電した微粒子液滴であり、空気中にミスト状態で浮遊可能なものである。また、この静電霧化ユニット２３には、霧化電極２４回りの空気に含まれる水分（水蒸気）を結露させて保持させるために霧化電極２４を冷却するペルチェ素子等の冷却部２６が設けられている。
【００１９】
この静電霧化ユニット２３は、霧化電極２４が吹出側送風路１３側に向くように配設されている。本実施形態では、静電霧化ユニット２３は、送風機２０の吹出部２２の下流側近傍において帯電微粒子水を放出するように配設されている。また、静電霧化ユニット２３は、吹出側送風路１３の天側を区画する天面（水平部天面）１４ａから下方側に向けて帯電微粒子水を放出するように配設されている。つまり、静電霧化ユニット２３は、送風機２０の吹出部２２の高さ位置よりも上方側となるように、かつ霧化電極２４が送風機２０の吹出部２２よりも便器幅方向で外側に位置するように配設されている。また、静電霧化ユニット２３は、放出口８と概ね同高さに位置するように配設されている。図例では、対向電極２５を放出口８の下方側縁部よりも僅かに下側に位置するように配設した例を示している。
また、機器ケース１０には、これら送風機２０及び静電霧化ユニット２３が接続される電源部や基板等を有した制御ユニット２７が組み込まれている。この制御ユニット２７は、送風機２０の上方側に位置するように配設されている。また、これら送風機２０及び静電霧化ユニット２３の放出口８からの沿面距離や空間距離が各種法令や規格に定められる基準を満たすように、吹出側送風路１３が形成されたものでもよい。
【００２０】
吹出側送風路１３は、下流側端部が放出口８に連通するように設けられている。
また、吹出側送風路１３の底側を区画する底面（水平部底面）１４ｂには、排水孔１６が設けられている。また、本実施形態では、この吹出側送風路１３に、放出口８に向けて上るように傾斜する上向き送風路１８と、送風機２０の吹出部２２から水平方向に延び、上向き送風路１８の上流端に連なる水平路１４と、を設けた構成としている。本実施形態では、これら水平路１４及び上向き送風路１８を、送風方向（長手方向）に見て略方形状としている。
また、吹出側送風路１３の天側を区画する天面（水平部天面）１４ａにおいて下方側に向けて開口するように凹部１５を設けた構成としている。また、帯電微粒子水を放出する電極部としての霧化電極２４及び対向電極２５が凹部１５の底側に位置するように静電霧化ユニット２３を設けた構成としている。本実施形態では、この凹部１５を、水平路１４の天側を区画する天面としての水平部天面１４ａにおいて開口するように設けた構成としている。つまり、送風機２０の吹出部２２の下流側に連なる水平路１４の上方側に位置するように静電霧化ユニット２３を設けた構成としている。
【００２１】
水平路１４は、重力作用方向に対して直交方向となる水平方向に延びるように設けられている。この水平路１４の前後両側を区画する両内側面は、前後方向に向くように設けられている。また、この水平路１４の天側を区画する水平部天面１４ａは、下方側を向くように設けられている。凹部１５は、水平路１４の上流側端部において開口するように設けられている。つまり、凹部１５は、送風機２０の吹出部２２に隣接するように設けられている。この凹部１５の開口方向（上下方向）に沿う深さ寸法は、放出口８を介して吹出側送風路１３内に浸入した水が跳ね返り等によって静電霧化ユニット２３の霧化電極２４及び対向電極２５に付着し難くなるように適宜の寸法としてもよい。また、凹部１５の深さ寸法は、静電霧化ユニット２３から放出された帯電微粒子水が円滑に吹出側送風路１３に向かうように、また、機器ケース１０の小型化を図る観点等から適宜の寸法としてもよい。例えば、この凹部１５の深さ寸法を、３ｍｍ〜３０ｍｍ程度としてもよい。
【００２２】
また、水平路１４の底側を区画する底面としての水平部底面１４ｂは、上方側を向くように設けられている。本実施形態では、排水孔１６は、この水平部底面１４ｂにおいて開口するように設けられている。また、この排水孔１６は、水平路１４の下流側端部において開口するように設けられている。つまり、排水孔１６は、水平路１４と上向き送風路１８との境界部近傍部位に設けられている。
また、排水孔１６は、水平路１４の水平部底面１４ｂを構成する底板部を上下方向に貫通するように設けられている。この排水孔１６の孔形状（開口方向に見た形状）は、丸孔状や楕円状等でもよいが、本実施形態では、方形孔状としている。また、この排水孔１６の吹出側送風路１３の送風方向に沿う寸法及び吹出側送風路１３の幅方向（便器奥行方向と概ね同方向）に沿う寸法は、排水性等の観点から適宜の寸法としてもよく、３ｍｍ以上としてもよく、好ましくは、５ｍｍ以上としてもよい。また、排水孔１６の吹出側送風路１３の幅方向に沿う寸法は、吹出側送風路１３の幅方向の大半に亘る寸法、例えば、吹出側送風路１３の幅方向の寸法の１／２以上の寸法としてもよく、好ましくは。２／３以上の寸法としてもよい。図例では、排水孔１６を、吹出側送風路１３の幅方向の略全体に亘って設けた例を示している。
【００２３】
また、排水孔１６を介して排水された水は、ボウル部２内に導入される構成とされている。つまり、排水孔１６は、ボウル部２に連通するように設けられている。なお、このような態様に代えて、排水孔１６を、当該便器装置１の排水管等に連通させた構成等としてもよい。
また、本実施形態では、吹出側送風路１３（水平路１４）に、送風機２０の吹出部２２の下端側から送風方向に延びるように、かつ排水孔１６の上方側を覆うようにガイド壁１７を設けた構成としている。このような構成とすれば、排水孔１６が圧力損失要因となるようなことを軽減することができる。このガイド壁１７は、上下方向に厚さ方向を沿わせて配設される板状とされ、水平部底面１４ｂとの間に隙間が形成されるように設けられている。また、このガイド壁１７は、排水孔１６の開口方向となる上下方向に見て、排水孔１６の略全体を覆うように設けられている。放出口８から吹出側送風路１３内に浸入した水は、このガイド壁１７の放出口８側の端部と水平部底面１４ｂとの間の隙間を介して排水孔１６側に向かい、排水孔１６から排水される。
【００２４】
上向き送風路１８は、水平路１４側の上流側端よりも放出口８側の下流側端が上方側に位置するように傾斜状とされている。この上向き送風路１８は、水平路１４側の上流側端から放出口８側の下流側端まで略直管状とされている。つまり、この上向き送風路１８の天側を区画する傾斜天面１８ａ及び底側を区画する傾斜底面１８ｂは、互いに略平行状でかつ略平坦面状とされている。また、この上向き送風路１８の幅方向（便器奥行方向と概ね同方向）両側を区画する両内側面は、互いに略平行状でかつ略平坦面状とされている。この上向き送風路１８の水平路１４に対する上向きの傾斜角度（水平面と上向き送風路１８の傾斜底面１８ｂに平行な仮想面とのなす角度）は、吹出側送風路１３における圧力損失を低減する観点や、帯電微粒子水の上方側への拡散性等の観点から適宜の角度としてもよい。この上向き送風路１８の水平路１４に対する上向きの傾斜角度は、例えば、１０度〜６０度程度としてもよく、図例では、４０度程度とした例を示している。
【００２５】
また、本実施形態では、この上向き送風路１８は、水平路１４側の上流側端よりも放出口８側の下流側端が前方側に位置するように傾斜状とされている。つまり、本実施形態では、上向き送風路１８は、下流側に向かうに従い上方側及び前方側に位置するように傾斜状とされている。この上向き送風路１８の水平路１４に対する前向きの傾斜角度（前後方向に向く仮想垂直面と上向き送風路１８の両内側面に平行な仮想面とのなす角度）は、上記と概ね同様な観点から適宜の角度としてもよい。この上向き送風路１８の水平路１４に対する前向きの傾斜角度は、例えば、１０度〜６０度程度としてもよく、図例では、３０度程度とした例を示している。
なお、この上向き送風路１８と水平路１４との境界部の内面を湾曲面状としてもよい。
また、吹出側送風路１３を区画する機器ケース１０は、複数に分割された部材が組み付けられて構成されたものでもよい。また、機器ケース１０は、合成樹脂系材料等から形成された樹脂成型品でもよい。
【００２６】
上記構成とされた便器装置１においては、送風機２０及び静電霧化ユニット２３を作動させれば、帯電微粒子水を含む空気が吹出側送風路１３を送風され、放出口８から放出される。
なお、これら送風機２０及び静電霧化ユニット２３のＯＮ・ＯＦＦ（作動及び停止）は、当該便器装置１の適所に設けられた操作部やリモコン装置の操作部の操作によってなされるものでもよい。また、このような態様に代えて、または加えて、これら送風機２０及び静電霧化ユニット２３は、例えば、当該便器装置１の使用後に所定時間が経過するまで作動されるものでもよい。この場合は、例えば、上記したような各種センサーの検出や洗浄操作に基づいて便器装置１が使用されたことを検出し、自動制御的に送風機２０及び静電霧化ユニット２３の作動がなされる態様等としてもよい。
【００２７】
本実施形態に係る便器装置１は、上述のような構成としたことで、異常の発生の軽減が可能でありながらも、帯電微粒子水を効果的に拡散することができる。
つまり、便器外面としての後部外側面６ａにおいて開口する放出口８を、送風機２０の吹出部２２の高さ位置以上の高さに位置するように設けている。従って、送風機２０の吹出部２２よりも下方側に放出口８が位置する構成とされたものと比べて、吹出側送風路１３の簡素化を図りながらも、吹出側送風路１３を送風される帯電微粒子水を含む空気を水平方向や上向きに放出させることができる。これにより、放出口８から放出された帯電微粒子水が、放出口８が対向する壁面や床面等の局所に付着することを軽減でき、トイレ空間内の広範に亘って拡散し易くなる。
また、吹出側送風路１３の底側を区画する底面としての水平部底面１４ｂにおいて開口するように排水孔１６を設けている。従って、清掃等の際に水が放出口８から浸入した場合にも、排水孔１６を介して排水することができ、水が送風機２０の吹出部２２に至ることを軽減、抑制することができる。これにより、上記のように帯電微粒子水の拡散性を向上させながらも、送風機２０の損傷や漏電等の異常の発生を軽減することができる。
【００２８】
また、本実施形態では、吹出側送風路１３に、放出口８に向けて上るように傾斜する上向き送風路１８を設けている。従って、吹出側送風路１３を送風される帯電微粒子水を含む空気が放出口８から上方側に向けて放出され易くなり、帯電微粒子水をより効果的にトイレ空間内に拡散させることができる。
また、本実施形態では、この上向き送風路１８を、下流側に向かうに従い前方側に位置するように傾斜状としている。従って、吹出側送風路１３を送風される帯電微粒子水を含む空気が当該便器装置１の後部側の放出口８から前方側に向けて放出され易くなり、帯電微粒子水をより効果的にトイレ空間内に拡散させることができる。
【００２９】
また、本実施形態では、吹出側送風路１３に、送風機２０の吹出部２２から水平方向に延び、上向き送風路１８の上流端に連なる水平路１４を設け、排水孔１６を、水平路１４の下流側端部に設けた構成としている。従って、放出口８から浸入した水は、傾斜状とされた上向き送風路１８の傾斜底面１８ｂに沿って流れ込み、水平路１４の下流側端部の排水孔１６から排出される。これにより、吹出側送風路１３の全体を傾斜状としたり、水平状としたりしたものと比べて、放出口８を介して浸入した水を、効果的に排水孔１６を介して排水することができる。なお、このような態様に代えて、吹出側送風路１３の全体を傾斜状としたり、水平状としたりしてもよい。また、上記のように前向きに傾斜する部位を設けた態様に代えて、吹出側送風路１３の全体を便器幅方向に延びるように設けた構成としてもよい。
【００３０】
また、本実施形態では、静電霧化ユニット２３の電極部を構成する霧化電極２４及び対向電極２５を、吹出側送風路１３の天面としての水平部天面１４ａに設けられた凹部１５の底側に位置するように設けた構成としている。従って、放出口８を介して比較的に多量の水が浸入した場合にも、静電霧化ユニット２３の霧化電極２４及び対向電極２５への水の接触を軽減、抑制することができ、静電霧化ユニット２３の異常の発生を軽減することができる。なお、このような凹部１５を設けずに、静電霧化ユニット２３の霧化電極２４及び対向電極２５を吹出側送風路１３の水平部天面１４ａ等の内面において露出させた構成等としてもよい。
【００３１】
また、本実施形態では、放出口８を、当該便器装置1の便器外面としての後部外側面６ａにおいて開口させるように設けた構成としているが、前方側の側面や前面、上面、後面等の他の部位の外面において開口させた構成としてもよい。
また、本実施形態では、送風路１３，１９を構成する機器ケース１０、フィルター部材１１、送風機２０、静電霧化ユニット２３及び制御ユニット２７を含む帯電微粒子水送風ユニットを便器装置１に一体的に組み込んだ構成とした例を示しているが、このような態様に限られない。例えば、この帯電微粒子水送風ユニットを、便器本体に着脱可能に設置される便座装置に組み込み、当該便座装置と便器本体とを備えた便器装置として把握するようにしてもよい。
また、本実施形態では、便器装置１を、腰掛式の便器装置とした例を示しているが、立位状態にて使用される小便器等の他の便器装置としてもよい。
また、上記した本実施形態に係る便器装置１の各部の具体的構成は、一例に過ぎず、その他、種々の変形が可能である。
【符号の説明】
【００３２】
１      便器装置
６ａ    後部外側面（便器外面）
８      放出口
１３    吹出側送風路（送風路）
１４    水平路
１４ａ  水平部天面（送風路の天側を区画する天面）
１４ｂ  水平部底面（送風路の底側を区画する底面）
１５    凹部
１６    排水孔
１８    上向き送風路
２０    送風機
２２    吹出部
２３    静電霧化ユニット
２４    霧化電極（電極部）
２５    対向電極（電極部）
【図１】
2018193673.tif 000003
【図２】
2018193673.tif 000004
【図３】
2018193673.tif 000005